(57)【特許請求の範囲】
【請求項１】
地肌除去機能を有し原稿画像データをデジタル的に処理する画像処理装置において、
基準白板と原稿を読み取る読取手段と、
前記読取手段の出力値のピーク値を検出する検出手段と、
前記読取手段が前記基準白板を読み取った第１の出力値と比較される第１の比較基準値（Ｖref0）と前記読取手段が前記原稿を読み取った第２の出力値と比較される第２の比較基準値（Ｖref1）とを生成する生成手段と、
前記原稿を読み取るに際し、前記地肌除去機能を動作させる場合は前記ピーク検出手段の出力値（ＶrefAE）と前記読取手段の出力値とを比較し、前記地肌除去機能を動作させない場合は前記生成手段の出力値（Ｖref0またはＶref1）と前記読取手段の出力値とを比較して出力値を決定する比較出力手段とを有し、
前記比較出力手段は前記読取手段により前記基準白板を読み取ってシェーディングデータを生成するに際し、前記地肌除去機能を動作させる場合には前記ピーク検出手段の出力値（ＶrefAE）と前記基準白板を読み取った読取手段の出力値とを比較し、前記地肌除去機能を動作させない場合には前記第１の出力値と前記第１の比較基準値（Ｖref0）とを比較し且つ前記第２の出力値と前記第２の比較基準値（Ｖref1）とを比較して出力値を決定することを特徴とする画像処理装置。
【請求項２】
請求項１記載の画像処理装置において、シェーディングデータ生成時と原稿画像読み取り時で、上記ピーク検出手段のピーク検出用時定数を変更する時定数変更手段を備えたことを特徴とする画像処理装置。
【請求項３】
請求項１記載の画像処理装置において、シェーディングデータ生成時と原稿画像読み取り時で、上記ピーク検出手段のピーク検出用ゲート幅を変更するゲート幅変更手段を備えたことを特徴とする画像処理装置。
【請求項４】
請求項１または３記載の画像処理装置において、シェーディングデータ生成前と、シェーディングデータ生成時及び原稿画像読み取り時で、上記ゲート幅変更手段のゲート幅を変更するように構成したことを特徴とする画像処理装置。
【請求項５】
請求項１記載の画像処理装置において、シェーディングデータ生成後から原稿画像読み取り時迄の間に、上記ピーク検出手段のピーク値を予め定められた値に戻すピーク値変更手段を備えたことを特徴とする画像処理装置。
【発明の詳細な説明】
【０００１】
【産業上の利用分野】
本発明は、電子写真複写機、スキャナー、ファックス等の画像処理装置に関し、特にデジタル的に処理する画像処理装置の地肌除去機能に関するものである。
【０００２】
【従来の技術】
従来の、地肌除去機能を有し、原稿画像データをデジタル的に処理する画像処理装置において、地肌除去機能を働かせる場合には基準白版の読み取り値と、あらかじめ定められた値とを比較してシェーディングデータを生成するが、その際原稿の地肌部読み取り値と一致させるために地肌濃度検出部の利得を調整する必要があり、従来は可変抵抗器等に部品を使用して、増幅器の利得を調整していた。
【０００３】
【発明が解決しようとする課題】
しかしながら、上述したような従来の画像処理装置では、利得調整用に用いているボリュウム等の可変手段を精度良く合わせる必要があり、その調整が極めて繁雑で、面倒であった。更には、可変手段に経時変化が発生すると、最初の調整状態が変動し、高精度な地肌飛ばしが不可能になると云う問題があった。また、同様の問題は、使用部品のばらつきにおいても発生し、長期間に亙って、高精度に地肌飛ばしができないものであった。
【０００４】
【発明の目的】
本発明は、上述したような従来の画像処理装置の諸問題を解決するためになされたものであって、利得調整等の面倒な作業を不要とすることによって、コストの逓減を達成し、しかも、可変手段や部品の経年変化やばらつきがあっても、長期間に亙って、高精度の地肌飛ばしが可能な画像処理装置を提供することを目的としている。
【０００５】
【課題を解決するための手段】
本発明では上記目的を達成するために、請求項１の発明においては、地肌除去機能を有し原稿画像データをデジタル的に処理する画像処理装置において、基準白板と原稿を読み取る読取手段と、前記読取手段の出力値のピーク値を検出する検出手段と、前記読取手段が前記基準白板を読み取った第１の出力値と比較される第１の比較基準値（Ｖref0）と前記読取手段が前記原稿を読み取った第２の出力値と比較される第２の比較基準値（Ｖref1）とを生成する生成手段と、前記原稿を読み取るに際し、前記地肌除去機能を動作させる場合は前記ピーク検出手段の出力値（ＶrefAE）と前記読取手段の出力値とを比較し、前記地肌除去機能を動作させない場合は前記生成手段の出力値（Ｖref0またはＶref1）と前記読取手段の出力値とを比較して出力値を決定する比較出力手段とを有し、前記比較出力手段は前記読取手段により前記基準白板を読み取ってシェーディングデータを生成するに際し、前記地肌除去機能を動作させる場合には前記ピーク検出手段の出力値（ＶrefAE）と前記基準白板を読み取った読取手段の出力値とを比較し、前記地肌除去機能を動作させない場合には前記第１の出力値と前記第１の比較基準値（Ｖref0）とを比較し且つ前記第２の出力値と前記第２の比較基準値（Ｖref1）とを比較して出力値を決定することを特徴とする。
請求項２記載の発明では、上記請求項１記載の画像処理装置において、シェーディングデータ生成時と原稿画像読み取り時で、上記ピーク検出手段のピーク検出用時定数を変更する時定数変更手段を備えたことを特徴とする。
請求項３記載の発明では、請求項１記載の画像処理装置において、シェーディングデータ生成時と原稿画像読み取り時で、上記ピーク検出手段のピーク検出用ゲート幅を変更するゲート幅変更手段を備えたことを特徴とする。
請求項４記載の発明では、請求項１、または、請求項３記載の画像処理装置において、シェーディングデータ生成前と、シェーディングデータ生成時及び原稿画像読み取り時で、上記ゲート幅変更手段のゲート幅を変更するように構成したことを特徴とする。
請求項５記載の発明では、請求項１記載の画像処理装置において、シェーディングデータ生成後から原稿画像読み取り時迄の間に、上記ピーク検出手段のピーク値をあらかじめ定められた値に戻すピーク値変更手段を備えたことを特徴とする。
【０００６】
【作用】
請求項１のように構成された画像処理装置は、地肌除去機能を動作させるときには、基準白板及び原稿を読み取る際にピーク検出手段の出力を比較出力手段の比較基準値とし、地肌除去機能を動作させないときには、基準白板及び原稿を読み取る際に生成手段からの出力値を比較出力手段の比較基準値としているので、ピーク検出手段の利得調整に用いているボリュウム等の可変手段を除去することが出来、調整に掛かる手間を省くことが出来る。更に、経時変化のバラツキの影響を排除し、高精度に地肌飛ばし処理を行うことが出来る。
【０００７】
請求項２の画像処理装置では、上記１項のピーク検出手段のピーク検出用時定数を変更する時定数変更手段を備えたので、原稿読み取り時にはノイズ等を排除し得るようにピーク検出用時定数を大きく設定し、基準白板の読み取り時には時定数を短く変更して、基準白板の幅を小さくしても正しくピーク検出を行うことが出来る。
【０００８】
請求項３の画像処理装置では、上記１項のピーク検出手段のピーク検出用ゲート幅を変更するゲート幅変更手段を備えたので、基準白板の読み取り時にはゲート幅を長くし、基準白板の幅を小さくしても正しいピーク検出が出来るようになり、しかも、デジタル信号のゲート幅を変更するだけなので、アナログスイッチ等の余分な部品が不要となり、部品点数を少なくすることができる。
【０００９】
請求項４の画像処理装置では、上記１項、または、３項に記載の画像処理装置において、シェーディングデータ生成前と、シェーディングデータ生成時及び原稿画像読み取り時において、上記ゲート幅変更手段のゲート幅を変更するように構成したので、基準白板の読み取り時にはゲート幅を長くし、基準白板の幅を小さくしても正しいピーク検出が出来るようになり、しかも、主走査方向に照度ムラがある場合において、ゲート幅を変更した場合のピーク値が変動したとしても、正しいシェーディングデータを生成することが出来る。
【００１０】
請求項５の画像処理装置では、シェーディングデータ生成後から原稿画像読み取り時迄の間に、上記ピーク検出手段のピーク値をあらかじめ定められた値に戻すピーク値変更手段を備えたので、ピークホールド回路を共通にしても基準白板読み取り時の影響を受けずに原稿の地肌を正しく検出出来る。
【００１１】
【実施例】
以下、図示した実施例に基づいて、本発明を詳細に説明する。なお、実施例には画像処理装置として代表的な電子写真複写機（以下、複写機と記す）のスキャナー部を例示するが、本発明はこの例に限らず、他の画像処理装置にも同様に適用可能である。図２は、本発明を適用する複写機のスキャナーの一例を示す要部側面構成図である。同図に示すスキャナは、原稿を載置するコンタクトガラス２１と、その上に載置した原稿２２と、基準白板２３と、主走査方向スケール２４と、光源２５、第一ミラー２６、第二ミラー２７、第三ミラー２８とからなる光学系と、レンズ２９と、CCD の読取り手段１とを備えたものである。
【００１２】
この構成において動作を簡単に説明すると、コンタクトガラス２１上に置かれた原稿２２が読み取られる前に、光源２５の光源自身によるバラツキや、温度、経時変化によるバラツキを補正したり、光源２５やＣＣＤ等の読み取り素子１ａの主走査方向（図面に対し垂直方向）１ラインのバラツキを補正する。そのために、光源２５、第一ミラー２６、第二ミラー２７、第三ミラー２８からなる光学系を最右端の主走査方向スケール２４付近に位置するホームポジッション（図中にＨ・Ｐで指示）に移し、そこからあらかじめ定められた速度で左方向（副走査方向）に移動させ、基準白板２３上に光学系が位置したときに基準白板２３上の主走査方向１ラインを光源２５で照射すると共に、反射光を第一ミラー２６、第二ミラー２７、第三ミラー２８でレンズ２９に導き、読み取り素子１ａによって読み取る。その際、先ず光源２５の光源自身によるバラツキや、温度、経時変化によるバラツキを補正するために、読み取り出力のピーク値があらかじめ定められている目標値になるように読取手段１の中のＧＣＡ増幅器１Ｃの利得を調整するようになっている（図１参照）。
【００１３】
図３はコンタクトガラス２１上に置かれた原稿２２を上方から見た図で、原稿２２は主走査方向スケール２４と副走査方向スケール３０に、原稿２２の直交する２辺が当接するように置かれている。この例では原稿２２上の斜線範囲２２ａが地肌を検知する部分に当る。主走査方向スケール２４の下部であってコンタクトガラス２１に隣接する部分には基準白板２３が配置されている。
【００１４】
図４は原稿読取りデ−タの出力例を示す図であり、基準白板２３上の主走査方向１ラインの読み取り出力を曲線ｆ１で示し、読み取り出力のピーク値Ｖｐ１（Ｐ１点の出力値）が目標設定値Ｖｐ０になるように（Ｐ１点がＰ０点に移動するように）利得を変化させる補正を行った結果を曲線f2にて示している。
上記の補正が終了すると、基準白板２３上の主走査方向１ラインの読み取りからシェーディングデータ生成を行う。即ち、図５は基準白板の読取り方法を説明する図であり、同図に示したようにピーク値補正後の出力曲線ｆ２を、読み取リ画素毎にサンプリングして、出力値（ｂ１、ｂ２、ｂ３〜ｂｎ）を記憶し、シェーディングデータとする。
【００１５】
次に、図２に示す光学系が副走査方向に移動して原稿２２の先端に位置すると、原稿２２の読み取りを開始し、原稿画像の読み取りデータが、先に読み込まれているシェーディングデ−タにより補正されて、次の画像処理部に送られる。その際、地肌除去を行う場合には、図６に示されるように原稿の地肌部についても原稿画像の読み取り画素データのピーク値を検知する。上記のピーク値補正後のシェーディングデータｆ２のピーク値Ｖｐ０をａとし、それに対する固定の比較基準値Ｖref0のｂ値を図６に示すように設定する。また、原稿画像の読み取りデータの出力曲線ｆ３（読取手段１出力）のピーク値の位置Ｐ２点の値が、ピーク値Ｖｐ２（＝ａ´）であるとき、ピーク検出手段２を通過すると、上述したように利得補正される結果、出力曲線ｆ３のＰ２点で取る値はＶrefAE となる。この波高値をｂ´とすると、従来は次式にて示される値になるようにピーク増幅器２ｂの利得を調整していた。
ａ´÷ｂ´＝ａ÷ｂ
従って、精度の良い調整を行うにはピーク増幅器２ｂの利得を微細に調整する必要があった。また、設定後、ピーク増幅器２ｂの利得可変手段として可変抵抗器等を使用すると、経年変化等によって設定値が変動し、利得が変化して精度良く地肌を飛ばすことが出来なくなる等の不具合があったこと、上述した通りである。本実施例では、ピーク検出手段２の利得可変手段を不要として無調整化を図り、信頼性を向上すると共に、高精度に地肌を飛ばすことが出来る画像処理装置を提供するものである。
【００１６】
図１は本発明の一実施例を示す画像処理装置の要部のブロック図であって、先に示した図２乃至図６及び図７、図８のタイミングチャートを参照しながら本発明を詳細に説明する。
先ず、図１に示す画像処理装置の構成を簡単に説明すれば、１は読取り部であって、ＣＣＤ等の読取り素子１a と、サンプルホールド回路１b と、利得可変増幅器１ｃと、ゼロクランプ回路１d を備えている。また２はピーク検出手段であり、ピークホールド回路２a と、ピーク増幅器２b とを備えている。更に、３は比較出力手段、４は黒レベル検出手段、５はノイズ制御手段、６は比較出力補正手段、７は選択回路、８はゲート発生回路、９は利得制御回路、１０はCPU 、１１はシェーディング補正回路である。
【００１７】
この構成において基本的動作を説明する。原稿画像や基準白板２３は読取り手段１で読み取られ、比較出力手段３の入力の一端Ｖｉｎに伝達される。一方、比較出力手段３は、比較基準値の入力端Ｖｒｅｆに基準となる値が入力され、上記Ｖｉｎに入力する値との差がデジタル的に出力される。読取手段１はＣＣＤ等の読み取り素子１ａ、読み取り素子１ａからの出力をサンプリングして保持するサンプルホールド回路１ｂと、利得可変の可能な読取増幅器１ｃと、黒（ゼロ）レベルの基準を作り出すゼロクランプ回路１ｄから構成されている。また、地肌除去機能達成のために、読取手段１の出力の一部はピーク検出手段２に伝達され、このピーク検出手段２では入力される信号のピーク値が検出される。選択回路７でピーク検出手段２の出力が選択されると、選択回路７の出力端Ｑを経て、上記比較出力手段３の比較基準入力端Ｖｒｅｆに伝達される。ピーク検出手段２はピーク値を保持記憶するピークホールド（Ｐ／Ｈ）回路２ａと、所定の利得を持ったピーク増幅器２ｂから構成されている。従来は、上記図６で説明したように、ａ´÷ｂ´＝ａ÷ｂとなるようにピーク増幅器２ｂの利得可変器を調整していたが、本実施例では以下に述べるように、ピーク増幅器２b の利得可変器を不要にしたものである。
【００１８】
図７の地肌除去機能の動作時のタイミング図と合わせて説明すると、光学系がホームポジッションから移動を開始し、基準白板２３上に来ると、ゲート発生回路８から選択回路７のS1端子に供給される基準白板２３の読み取りを有効とするＷＴＧＴゲート信号がイネーブルとなり、同時にゲート発生回路８からAGC 回路９に供給されるAGC 信号もイネーブルになり、読取増幅器１C の利得を制御する利得制御（AGC)回路９を起動する。選択回路７はWTGTゲートが開くと、入力端A に入力する信号が選択され、同時にＶref0が与えられるようになっている。このとき基準白板２３を読み取った最大出力値が図４のＶｐ０になるように、利得制御（ＡＧＣ）回路９から読取増幅器１ｃの利得を制御するＤ−ＡＧＣ１を与え、ＡＧＣＧＴゲートを閉じる。この動作により光源２５の光源自身によるバラツキや、温度、経時変化によるバラツキ、読み取り素子１ａの感度のバラツキを補正している。
【００１９】
次に、地肌除去機能を有効にするＡＥＭＯＤＯゲートと、シェーディングデータの作成期間に当るＳＨＧＴゲートを開き、シェーディングデータを生成する。その際、原稿の地肌検知と同じ様に基準白板２３の読取手段１の出力を、ピークホールド（Ｐ／Ｈ）回路２ａとピーク増幅器２ｂから構成されるピーク検出手段２に導き、ピーク値を検出して比較出力手段３の比較基準入力端Ｖｒｅｆに入力する。その際、選択回路７の出力端Ｑは入力端Ｃが選択されるように制御されている。図７のＳＥＬ−Ｑは選択回路７の出力端Ｑの出力状態を示している。なお、上記の処理を行うために地肌検知期間を表すＰＷＩＮＤゲートを、図３に示す地肌を検知する斜線範囲２２ａに相当する期間イネーブルにしておく必要があることは云うまでもない。このように、基準白板２３に基づいてシェーディングデータの生成を終了すると、ＷＴＧＴゲートとＳＨＧＴゲートを同時に閉じる。続いて、光学系が移動し、原稿２２上に来ると、副走査方向画像有効期間、即ち、原稿２２の読み取り期間を表すＦＧＡＴＥゲートを開き、ピーク検出手段２を起動して原稿の地肌検知を行う。上記のようにシェーディングデータを生成する際及び、原稿２２の読み取り期間の地肌検知にも、同じ経路を使ってピーク値を検出し、比較出力手段３の比較基準入力端Ｖｒｅｆに入力するので、ピーク検出手段２のピーク増幅器２ｂが経年変化等により利得変化したとしても、その影響を排除することができる。また、ピーク増幅器２ｂの利得の調整も不要となるので、作業効率を向上することも可能となる。
【００２０】
次に、図６を参照しながら理論的考察を加える。前提条件として、上記比較出力手段３は入力端Ｖｉｎに入力した値が、０から２５５迄のディジタル値に変換されて出力されるものとする。従って、入力値Ｖｉｎがリファレンス値Ｖｒｅｆに等しいか、それ以上の場合は、比較出力手段３の出力値は全て２５５となる。ＤＧを原稿の読み取りデータ、ＤＳＨをシェーディングデータとすると、画像の読み取りはシェーディングデータとの相対値として濃度を表すことになるので、画像データＧＤは、
ＧＤ＝（ＤＧ÷ＤＳＨ）×２５５ ……………（１）
で示され、シェーディング補正される。地肌除去機能が非動作時における原稿読み取りは、ＶＧを原稿読み取り時の比較出力手段３の入力端Ｖｉｎの値、ｖＧをＣＣＤ等の読み取り素子１ａの出力値、ＶREF1を比較出力手段３の比較基準入力端Ｖｒｅｆに入力する値、ＡＶ０をＧＣＡ増幅器１ｃの利得とすると、比較出力手段３の働きによって、
ＤＧ＝ＩＮＴ〔（ＶＧ÷ＶREF1）×２５５〕
＝ＩＮＴ〔（ｖＧ×ＡＶ０÷ＶREF1）×２５５〕 …………（２）
となる。ここで、ＩＮＴ〔 〕は最大２５５迄の計算式の整数部を示す。
同様に、基準白板２３の読み取り時には、
ＤＳＨ＝ＩＮＴ〔（ＶＳＨ÷ＶREF0）×２５５〕
＝ＩＮＴ〔（ｖＳＨ×ＡＶ０÷ＶREF0）×２５５〕 ………（３）
となり、ＩＮＴ〔 〕は比較出力手段３でＡ／Ｄ変換する時の量子化を意味して
いるのみであるので省略し、（２）、（３）式を（１）式に代入すると、
ＧＤ＝（ＤＧ÷ＤＳＨ）×２５５
＝〔（ｖＧ÷ＶREF1）÷（ｖＳＨ÷ＶREF0）〕×２５５ ……（４）
となる。なお、（ｖＳＨ÷ＶREF0）は原稿読み取りのダイナミックレンジを決めるものである。その最低濃度（最高反射率）となる読み取りデータに添字Ｎを付けると、
（ｖＧＮ÷ＶREF1）＝（ｖＳＨ÷ＶREF0） ……………（５）
が成立するように比較出力手段３の比較基準入力値ＶREF0を決めているので（４）式は、
ＧＤ＝（ｖＧ÷ｖＧＮ）×２５５ …………………………（６）
が成立し、原稿濃度の相対値として比較出力手段３からの画像データが生成されることが判る。
【００２１】
従来の地肌除去機能で動作させた場合には、原稿読み取り時のみ選択回路７の入力端Ｃ、即ち、ピーク検出手段２のピーク値が選択されるので、その比較基準入力値をＶＲＥＦ−ＡＥとすると、
ＤＡＥ−Ｇ＝ＩＮＴ〔（ＶＧ÷ＶＲＥＦ−ＡＥ）×２５５〕 ………（７）
となる。ここで、図１から判る通り、ＶＲＥＦ−ＡＥは読取手段１の出力がピーク検出手段２を通過したものであるから、原稿地肌部の画像データ最高値をＶＧＪとし、ピーク増幅器２ｂの利得をＡＶ１とすると、
ＤＡＥ−Ｇ＝ＩＮＴ〔（ＶＧ×２５５）÷（ＶＧＪ×ＡＶ１）〕
＝ＩＮＴ〔（ｖＧ×ＡＶ０×２５５）÷（ｖＧＪ×ＡＶ０×ＡＶ１）〕
＝ＩＮＴ〔（ｖＧ×２５５）÷（ｖＧＪ×ＡＶ１）〕 ……（８）
となり、（１）式、（８）式から、
ＧＤＡＥ÷２５５＝ＤＡＥ−Ｇ÷ＤＳＨ
＝〔ｖＧ÷(ｖＧＪ×ＡＶ０×ＡＶ１）〕÷（ｖＳＨ÷ＶＲＥＦ０）……（９）
となる。ここで、基準白板２３の読み取り時も比較出力手段３の比較基準入力端の値をピーク検出手段２のピーク値として求められる。即ち、（９）式のＶＲＥＦ０は、選択回路７の入力端Ｃが選択されている原稿読み取り時のピーク検出手段２を通過したＶＲＥＦ−ＡＥに対応したように、基準白板２３の読み取り出力がピーク検出手段２を通過したものであるので、
ＶＲＥＦ０＝ｖＳＨ×ＡＶ０×ＡＶ１  ……………………………（１０）
となる。これを（９）式に代入すると
ＧＤＡＥ＝（ｖＧ÷ｖＧＪ）×２５５ …………………………（１１）
が得られ、地肌を飛ばすことが出来る。
【００２２】
一般に、地肌検出を行うピーク検出手段２のピークホールド回路２ａは、
１．ノイズや、原稿上の小さな点の明るさの影響を極力小さくする。
２．比較的大きな黒べたの画像が存在してもピークに影響を及ぼさない。
等が要求されるので、大きな時定数（図１ではτ0 ＝Ｒ１×Ｃ１）を持たせている。しかし、コストの問題や、画像処理装置の読み取り処理能力の向上から、基準白板２３の副走査方向の幅は出来るだけ短くする必要があるため、基準白板２３のピーク検出時には時定数をより短くするのが得策である。
図１のピーク検出手段２の回路中に、抵抗Ｒ１に並列の抵抗Ｒ２とスイッチＳＷ１で構成される時定数変更手段４を設けたのは、上記の対策であって、図７のＷＴＧＴゲートを開く間、スイッチＳＷ１を閉じることにより時定数を大きくして、上記の目的が達せられる。（請求項２の説明）
また、一部のＰＷＩＮＤゲートの幅を広げて地肌検出期間を短縮することも可能である。図８はその様子を示したタイミング図であって、ＬＳＹＮＣ信号は主走査同期信号を、ＬＧＡＴＥゲートは主走査画像有効期間を表し、その他のゲートは図７で述べた通りである。ＰＷＩＮＤゲートの幅を広げる範囲はＳＨＧＴゲートが閉じているＮ１ライン期間としているが、これは主走査方向の照度分布が図９に示すように、ＰＷＩＮＤゲート内のピーク値Ｐ１と、主走査方向の画像有効範囲内のピーク値Ｐ０とが違っている場合に、何等対策を施さないとピークホールドした結果も違ってくる。即ち、シェーディングデータ生成期間中もＰＷＩＮＤゲート幅を広げた状態にしておくと、原稿読み取り時とシェーディングデータ生成中とで追従するピーク値が異なってしまうため、正しく地肌を飛ばすことが出来ない。そこで、この不具合を除去するために、ＳＨＧＴゲートが開いている間中、ＰＷＩＮＤゲートの幅を広げる。そして、ピークホールド回路にピーク値が正常に保持されるＮ１ラインを待って、シェーディングデータの生成を開始し、ＷＴＧＴゲートの開いている間、シェーディングデータの生成を続ける。このように本実施例では、上記ピーク検出手段２ピーク検出用ゲート幅を変更するゲート幅変更手段５を備える。
【００２３】
ここでシェーディングデータの生成の方法を検討すると、基準白板２３の読み取りデータを上述した方法により、比較出力手段３によってデジタル化したデータＤG0を得る。このデータＤG0には、ＣＣＤの暗電流からなるゼロレベルのバラツキを含んでおり、これを除去するために、オプティカルブラック時のデータＤOPB をＯＰＢ検知回路１１で検知し、減算器１２を使って比較出力手段３の出力値ＤG0から減算し、この後、シェーディング補正回路１３にてシェーディングデータを生成する。
シェーディング補正回路１３の詳細な説明は省略するが、シェーディングデータを生成するとＷＴＧＴゲートとＳＨＧＴゲートを閉じ、同時にＳＷ１を開いてピークホールド回路２ａの時定数を元に戻す。
【００２４】
なお、この状態では図１の構成からも明らかなように、ピークホールド回路２ａのコンデンサＣ１は充電されたままであるので、原稿２２の地肌が基準白板２３より濃度的に暗い場合は、原稿２２の地肌濃度を正確に検知することが出来ない。
そこで、図７に示すように、原稿２２の読み取り前（ＦＧＡＴＥゲートが開く前）に、一度ＡＥＭＯＤＯゲートを閉じて、ＳＷ２を閉じ、コンデンサＣ１の電荷を放電させている。放電が終了すると、ＡＥＭＯＤＯゲートを再び開き、光学系が原稿２２の読み取りが出来る位置迄移動するのを待って、ＦＧＡＴＥゲートを開き原稿２２の読み取りを開始する。原稿２２の読み取り範囲が終了すると、ＦＧＡＴＥゲートを閉じ、地肌検知期間を表すＰＷＩＮＤゲートも閉じ、読取増幅器１ｃの利得Ｄ−ＡＧＣを所定の値に戻す。その後、ＡＥＭＯＤＯゲートを閉じ、ピークホールド回路２ａのコンデンサＣ１の電荷を放電すると共に、選択回路７の出力を、ピーク検出手段２の出力である入力端Ｃから、通常の入力端Ｂに戻し読み取り動作を終了する。
また、本実施例では、地肌除去処理における基準白板２３読み取り時に、ピークホールド（Ｐ／Ｈ）回路２ａのピーク値を正しく読み取る方法として、時定数を変更する方法と、ＰＷＩＮＤゲート幅を広げる方法を述べたが、勿論２つの方法を同時に実施することも効果的である。
【００２５】
【発明の効果】
請求項１の発明によれば、地肌除去機能を動作させる場合にはピーク検出手段の出力値（ＶrefAE）と基準白板を読み取った読取手段の出力値とを比較し、地肌除去機能を動作させない場合には前記第１の出力値と前記第１の比較基準値（Ｖref0）とを比較し且つ前記第２の出力値と前記第２の比較基準値（Ｖref1）とを比較して出力値を決定しているので、ピーク検出手段の利得調整に用いているボリュウム等の可変手段を除去することが出来、調整に掛かる手間を省くことが出来る。更に、経時変化のバラツキの影響を排除し、高精度に地肌飛ばし処理を行うことが出来る。
【００２６】
請求項２の発明によれば、上記１項のピーク検出手段のピーク検出用時定数を変更する時定数変更手段を備えたので、原稿読み取り時にはノイズ等に過剰に反応しないようにピーク検出用の時定数を大きくし、また、基準白板の読み取り時には時定数を短くして、基準白板の幅を小さくしても正しいピーク検出が出来る。従って、原稿読み取り時のノイズにも強く、原稿読み取り処理速度の向上を図った画像処理装置を提供する上で効果が大きい。
【００２７】
請求項３の発明によれば、上記１項のピーク検出手段のピーク検出用ゲート幅を変更するゲート幅変更手段を備えたので、基準白板の読み取り時にはゲート幅を長くし、基準白板の幅を小さくしても正しいピーク検出が出来るようになる。また同時に、デジタル信号のゲート幅を変更するのみであることから、コスト的にも廉価であり、信頼性にも優れた画像処理装置を提供することが出来る。
【００２８】
請求項４の発明によれば、上記１項、または、３項記載の画像処理装置において、シェーディングデータ生成前と、シェーディングデータ生成時及び原稿画像読み取り時で上記ゲート幅変更手段のゲート幅を変更可能にしたので、上記３項の効果の他に、更に、主走査方向の照度のムラがあっても、正しいシェーディングデータを生成することが可能となる。
【００２９】
請求項５の発明によれば、シェーディングデータ生成後から原稿画像読み取り時迄の間に、上記ピーク検出手段のピーク値をあらかじめ定められた値に戻すピーク値変更手段を持たせたので、ピークホールド回路が共通でも基準白板読み取り時の影響を受けずに原稿の地肌を正しく検出出来る。従って、コスト的にも廉価で、しかも長期間にわたって安定な地肌飛ばしを行い得る画像処理装置を提供する上で効果が大きい。
【図面の簡単な説明】
【図１】本発明の一実施例を示す画像処理装置の要部のブロック図である。
【図２】本発明を適用する画像処理装置の読み取り部の一例を示す要部構成図である。
【図３】本発明の実施例を示す画像処理装置であって、原稿台上にある原稿の地肌読み取り部を説明する図。
【図４】本発明の一実施例の画像処理装置の基準白板読み取り時の補正方法を説明する図。
【図５】本発明の実施例を示す画像処理装置の基準白板読み取りの方法を説明する図。
【図６】本発明の実施例を示す画像処理装置の原稿の地肌部の読み取りの方法を説明する図。
【図７】本発明の実施例を示す画像処理装置の読み取りにおける要部のタイミングチャート図。
【図８】本発明の実施例を示す画像処理装置の読み取りにおける要部の他のタイミングチャート図。
【図９】本発明の実施例を示す２つのピークを持った基準白板読み取りを説明する図。
【符号の説明】
１・・・読取手段、１ａ・・・読み取り素子、１ｂ・・・サンプルホールド回路、１ｃ・・・読取増幅器、１ｄ・・・ゼロクランプ回路、２・・・ピーク検出手段、２ａ・・・ピークホールド回路、２ｂ・・・ピーク増幅器、３・・・比較出力手段、４・・・時定数変更手段、５・・・ゲート幅変更手段、６・・・ピーク値変更手段、７・・・選択回路、８・・・ゲート発生回路、９・・・利得制御回路。１０・・・ＣＰＵ、１１・・ＯＰＢ検知回路、１２・・・減算器、１３・・シェーディング補正回路、２１・・・コンタクトガラス、２２・・・原稿、２３・・・基準白板、２４・・・主走査方向スケール、２５・・・光源、２６・・・第一ミラー、２７・・・第二ミラー、２８・・・第三ミラー、２９・・・レンズ、３０・・・副走査方向スケール。
【図１】
0003893163.tif 000002
【図２】
0003893163.tif 000003
【図３】
0003893163.tif 000004
【図４】
0003893163.tif 000005
【図５】
0003893163.tif 000006
【図６】
0003893163.tif 000007
【図７】
0003893163.tif 000008
【図８】
0003893163.tif 000009
【図９】
0003893163.tif 000010